(57)【要約】【課題】金属製多孔体に対する含水率の測定を可能とする含水率測定方法および含水率測定装置を提供する。【解決手段】プローブ５および極板６を備え、プローブ５と極板６に介挿される測定対象物たる多孔体１０の静電容量を測定する静電容量測定装置２を備える含水率測定装置１を用いた多孔体１０の含水率測定方法であって、多孔体１０を所定位置に保持する多孔体保持工程と、プローブ５を所定位置に位置決めする位置決め工程と、プローブ５と多孔体１０の距離を一定に保持する押圧工程からなる構成とする。【選択図】図４
2009288190.tif 000002
【特許請求の範囲】
【請求項１】
プローブおよび極板を備え、
前記プローブと前記極板との間に介挿される測定対象物たる多孔体の静電容量を測定する静電容量測定装置を備える含水率測定装置を用いた多孔体の含水率測定方法であって、
前記多孔体を所定位置に保持する多孔体保持工程と、
前記プローブを所定位置に位置決めする位置決め工程と、
前記プローブと前記多孔体の距離を一定に保持する押圧工程からなる、
ことを特徴とする多孔体の含水率測定方法。
【請求項２】
前記含水率測定装置は、
前記位置決め工程においてプローブを所定位置に位置決めするプローブ位置決め治具と、
前記プローブに固着され、前記押圧工程においてプローブを前記多孔体保持手段に対して押圧する押圧治具と、
前記多孔体保持工程において多孔体を所定位置に保持する多孔体保持治具と、
を備える、
ことを特徴とする請求項１記載の多孔体の含水率測定方法。
【請求項３】
前記多孔体保持治具は、
底板と、
多孔体保持部たる切欠き部が形成されるスペーサ−と、
上板により構成される、
ことを特徴とする請求項２記載の多孔体の含水率測定方法。
【請求項４】
前記多孔体保持治具は、
前記極板により保持される、
ことを特徴とする請求項３記載の多孔体の含水率測定方法。
【請求項５】
プローブおよび極板を備え、
前記プローブと前記極板との間に介挿される測定対象物たる多孔体の静電容量を測定する静電容量測定装置を備える多孔体の含水率測定装置であって、
前記多孔体を所定位置に保持する多孔体保持手段と、
前記プローブを所定位置に保持するプローブ保持手段と、
前記プローブおよびプローブ保持手段を前記多孔体保持手段に対して押圧する押圧手段を備える、
ことを特徴とする多孔体の含水率測定装置。
【請求項６】
前記多孔体保持手段は、
前記多孔体を保持する切欠き部が形成される多孔体保持治具からなり、かつ、
前記プローブ保持手段は、
前記プローブを位置決めする支持孔が形成されるプローブ位置決め治具からなり、かつ、
前記押圧手段は、
前記プローブに固着され、該プローブを前記多孔体保持手段に対して押圧する押圧治具からなる、
ことを特徴とする請求項５記載の多孔体の含水率測定装置。
【請求項７】
前記多孔体保持治具は、
底板と、
前記切欠き部が形成されるスペーサ−と、
上板により構成される、
ことを特徴とする請求項６記載の多孔体の含水率測定装置。
【請求項８】
前記多孔体保持治具は、
前記極板により保持される、
ことを特徴とする請求項７記載の多孔体の含水率測定装置。
【発明の詳細な説明】
【技術分野】
【０００１】
本発明は、多孔体の含水率を測定するための測定技術に関し、より詳しくは、金属製多孔体の含水率測定を可能にする含水率測定方法およびその測定装置に関する。
【背景技術】
【０００２】
従来、物体の静電容量を測定し、静電容量の測定値に基づいて物体の含水率を測定する技術は公知となっている。例えば、木材（多孔体）の含水率を測定する技術が種々検討・開発されており、特許文献１や特許文献２にその技術が開示されている。
特許文献１および特許文献２では、木材（多孔体）の含水率測定に適した測定方法および測定装置等の技術が開示されている。
また、特許文献３では、感熱紙（多孔体）の含水率測定方法および測定装置に関する技術が開示されている。
【特許文献１】特許第３６８６９８１号公報
【特許文献２】特許第２７５０４９８号公報
【特許文献３】特開平６−３０８０７２号公報
【発明の開示】
【発明が解決しようとする課題】
【０００３】
近年では、燃料電池に内蔵される部品に金属製多孔体が使用される場合があり、当該金属製多孔体の含水率を正確に把握する必要性が生じている。そのため金属製多孔体の含水率を正確に測定する技術の確立が望まれている。
しかしながら、従来技術によって木材や感光紙等の多孔体の含水率を精度良く測定することが可能となっているが、従来の含水率測定装置および測定方法では、金属製多孔体の含水率の測定には対応することが困難であった。
そこで本発明では、このような現状を鑑み、金属製多孔体に対する含水率の測定を可能とする含水率測定方法および含水率測定装置を提供することを課題としている。
【課題を解決するための手段】
【０００４】
本発明の解決しようとする課題は以上の如くであり、次にこの課題を解決するための手段を説明する。
【０００５】
即ち、請求項１においては、プローブおよび極板を備え、前記プローブと前記極板との間に介挿される測定対象物たる多孔体の静電容量を測定する静電容量測定装置を備える含水率測定装置を用いた多孔体の含水率測定方法であって、前記多孔体を所定位置に保持する多孔体保持工程と、前記プローブを所定位置に位置決めする位置決め工程と、前記プローブと前記多孔体の距離を一定に保持する押圧工程からなるものである。
【０００６】
請求項２においては、前記含水率測定装置は、前記位置決め工程においてプローブを所定位置に位置決めするプローブ位置決め治具と、前記プローブに固着され、前記押圧工程においてプローブを前記多孔体保持手段に対して押圧する押圧治具と、前記多孔体保持工程において多孔体を所定位置に保持する多孔体保持治具と、を備えるものである。
【０００７】
請求項３においては、前記多孔体保持治具は、底板と、多孔体保持部たる切欠き部が形成されるスペーサ−と、上板により構成されるものである。
【０００８】
請求項４においては、前記多孔体保持治具は、前記極板により保持されるものである。
【０００９】
請求項５においては、プローブおよび極板を備え、前記プローブと前記極板との間に介挿される測定対象物たる多孔体の静電容量を測定する静電容量測定装置を備える多孔体の含水率測定装置であって、前記多孔体を所定位置に保持する多孔体保持手段と、前記プローブを所定位置に保持するプローブ保持手段と、前記プローブおよびプローブ保持手段を前記多孔体保持手段に対して押圧する押圧手段を備えるものである。
【００１０】
請求項６においては、前記多孔体保持手段は、前記多孔体を保持する切欠き部が形成される多孔体保持治具からなり、かつ、前記プローブ保持手段は、前記プローブを位置決めする支持孔が形成されるプローブ位置決め治具からなり、かつ、前記押圧手段は、前記プローブに固着され、該プローブを前記多孔体保持手段に対して押圧する押圧治具からなるものである。
【００１１】
請求項７においては、前記多孔体保持治具は、底板と、前記切欠き部が形成されるスペーサ−と、上板により構成されるものである。
【００１２】
請求項８においては、前記多孔体保持治具は、前記極板により保持されるものである。
【発明の効果】
【００１３】
本発明の効果として、以下に示すような効果を奏する。
【００１４】
請求項１においては、測定対象物たる多孔体に対するプローブの配置を精度良く再現することができる。
【００１５】
請求項２においては、容易な構成で、測定対象物たる多孔体に対するプローブの配置を精度良く再現することができる。
【００１６】
請求項３においては、容易な構成で、測定対象物たる多孔体の配置を精度良く再現することができる。
【００１７】
請求項４においては、容易な構成で、測定対象物たる多孔体が保持される多孔体保持治具の配置を精度良く再現することができる。
【００１８】
請求項５においては、測定対象物たる多孔体に対するプローブの配置を精度良く再現することができる。
【００１９】
請求項６においては、容易な構成で、測定対象物たる多孔体に対するプローブの配置を精度良く再現することができる。
【００２０】
請求項７においては、容易な構成で、測定対象物たる多孔体の配置を精度良く再現することができる。
【００２１】
請求項８においては、容易な構成で、測定対象物たる多孔体が保持される多孔体保持治具の配置を精度良く再現することができる。
【発明を実施するための最良の形態】
【００２２】
次に、発明の実施の形態を説明する。
図１は本発明の一実施例に係る含水率測定装置の全体構成を示す模式図、図２は静電容量測定装置による多孔体の保持状態を示す模式図、図３は静電容量測定装置による構成実験の状況を示す模式図、図４は本発明の一実施例に係る静電容量測定装置の全体構成を示す側面断面図、図５は本発明の一実施例に係る静電容量測定装置の極板を示す平面図および断面図、図６は本発明の一実施例に係る静電容量測定装置の多孔体保持治具（上板）を示す平面図および断面図、図７は本発明の一実施例に係る静電容量測定装置の多孔体保持治具（底板）を示す平面図および断面図、図８は本発明の一実施例に係る静電容量測定装置の多孔体保持治具（スペーサ−）を示す平面図および断面図、図９は本発明の一実施例に係る静電容量測定装置のプローブ位置決め治具を示す平面図および断面図、図１０は本発明の一実施例に係る静電容量測定装置の押圧治具を示す平面図および断面図である。
【００２３】
まず始めに、本発明の一実施例に係る含水率測定装置１の全体構成について説明をする。
図１に示す如く、本発明の一実施例に係る含水率測定装置１は、静電容量測定装置２、Ｃ−Ｖ変換器３、ＰＣ（パーソナルコンピュータ）４等により構成している。
静電容量測定装置２によって、多孔体１０の静電容量が測定され、静電容量の測定値がＣ−Ｖ変換器３に入力される。
【００２４】
次に、入力された多孔体１０の静電容量の測定値がＣ−Ｖ変換器３によって電圧値に変換されて、変換後の電圧値がＣ−Ｖ変換器３からＰＣ４へ出力される。
そして、ＰＣ４によって演算処理が施されて、多孔体１０の含水率が求められる構成としている。
【００２５】
静電容量測定装置２は、プローブ５、極板６、上板７、底板８、スペーサー９等により構成しており、上板７、底板８およびスペーサー９により多孔体１０を保持する多孔体保持治具１１を構成している。
尚、本実施例においては、上板７および底板８はアクリル製とし、スペーサー９はジュラルミン製としているが、本発明を適用する多孔体保持治具１１の構成部品の素材を限定するものではない。
【００２６】
次に、含水率の測定原理について説明をする。
図２（ａ）には、金属製の多孔体１０の空隙部を流路として気液二相流を流した状態で含水率の測定を行う場合の測定部位を拡大し模式的に示している。
尚、本実施例では、気液二相流のうち気体成分としては空気を用いており、液体成分としては水を用いる構成としているが、本発明に適用する気液二相流の成分を限定するものではない。
【００２７】
そして、図２（ｂ）に示す如く、多孔体１０および多孔体保持治具１１のうちプローブ５による検知範囲のみを抜き出して注目すると、この検知範囲は図２（ｃ）に示すような、それぞれアクリル層、多孔体層、および水層と空気層との気液二相流層からなる複数のコンデンサを直列に接続した直列コンデンサとして取り扱うことができる。
【００２８】
さらに、この検知範囲の気液二相流を水層と空気層に分割して整理すると、図２（ｄ）に示すような直列コンデンサ１２にモデル化することができ、アクリル・多孔体・水および空気が充填される直列コンデンサ１２として取り扱うことができる。
尚、これ以後に示す数式に用いる記号は、以下の表１に定義する通りである。
【００２９】
【表１】
2009288190.tif 000003
【００３０】
そして、直列コンデンサ１２の系全体の静電容量を静電容量Ｃとすると、以下に示す数式１が成り立つ。
【００３１】
【数１】
2009288190.tif 000004
【００３２】
さらに、前記数式１は以下に示す数式２の如く変形をすることができる。
【００３３】
【数２】
2009288190.tif 000005
【００３４】
また、Ｃ−Ｖ変換器３による出力電圧Ｖは、静電容量Ｃに比例するため、以下の数式３が成り立つ。尚、Ａは定数である。
【００３５】
【数３】
2009288190.tif 000006
【００３６】
そして、前記数式３に前記数式２を代入すれば、以下の数式４を得ることができる。
【００３７】
【数４】
2009288190.tif 000007
【００３８】
また、多孔体１０のボイド（空隙）率αは、以下の数式５の如く表すことができる。
【００３９】
【数５】
2009288190.tif 000008
尚、数式５中の項（ｈｗ／ｄ）が含水率（即ち、（１−α）が含水率となる）を表している。
【００４０】
そして、前記数式５に前記数式４を代入すれば、ボイド率αは以下の数式６の如く表すことができる。
【００４１】
【数６】
2009288190.tif 000009
【００４２】
ここで、校正実験による基本条件の導出方法について説明をする。
まず、前記数式６中に含まれる項であって、以下の数式７で示される項の導出方法について説明をする。
【００４３】
【数７】
2009288190.tif 000010
【００４４】
図３（ａ）に示す如く、空気中でプローブ５と極板６の距離Ｄｃを適宜変化させながら静電容量Ｃの測定を行う。そして、このときのＣ−Ｖ変換器３による出力電圧Ｖを図３（ｂ）の如くグラフにプロットをする。電極間の距離１／Ｄｃと出力電圧Ｖの関係から描かれるグラフの傾きを最小二乗法によって求めて、基本条件となる数式７で示される項の値を導出するようにしている。
【００４５】
次に、前記数式６中に含まれるｄ（即ち、気液二相流の厚み）の導出方法について説明をする。
まず、流路に気相単相（空気のみ）を流しながら静電容量の測定を行う。この場合、前記数式４において、流路に気相単相で空気を流した場合には、以下の表２の条件を代入すればよい。
【００４６】
【表２】
2009288190.tif 000011
【００４７】
この表２に示す条件を前記数式４に代入すると、以下の数式８を得ることができる。
【００４８】
【数８】
2009288190.tif 000012
【００４９】
次に、流路に液相単相（水のみ）を流しながら静電容量の測定を行う。この場合、前記数式４において、前記数式４において、流路に液相単相で水を流した場合には、以下の表３の条件を代入すればよい。
【００５０】
【表３】
2009288190.tif 000013
【００５１】
この表３に示す条件を前記数式４に代入すると、以下の数式９を得ることができる。
【００５２】
【数９】
2009288190.tif 000014
【００５３】
そして、数式８および数式９を連立させて解くと、以下の数式１０を得ることができ、ｄが基本条件値（即ち、表２および表３の条件下で実測したＶａおよびＶｗ）および物性値（水・空気の各誘電率）等の既知の値で表される。
【００５４】
【数１０】
2009288190.tif 000015
【００５５】
次に、前記数式６中に含まれる項であって、以下の数式１１で表される項の導出方法について説明をする。
【００５６】
【数１１】
2009288190.tif 000016
【００５７】
前記数式８および数式９を連立させて解くと、数式１２を得ることができ、数式１１に示す項が基本条件値（即ち、表２の条件下で実測したＶａ）および物性値（アクリル・多孔体・空気の各誘電率）等の既知の値で表される。
【００５８】
【数１２】
2009288190.tif 000017
【００５９】
つまり、数式６中の各項のうち、Ｖ（即ち、Ｃ−Ｖ変換器３による出力電圧Ｖ）以外の各項は、全て校正実験により求められる基本条件値および物性値等の既知の値によって表すことができるため、静電容量測定装置２によって気液二相流が流れている状態における多孔体１０の静電容量Ｃを計測すれば、多孔体１０の含水率（即ち、１−α）を求めることができるのである。
【００６０】
次に、本発明に係る含水率測定装置１が備える静電容量測定装置２について、さらに詳細に説明をする。
図４に示す如く、静電容量測定装置２は、プローブ５、極板６、多孔体保持治具１１、プローブ位置決め治具１３、押圧治具１４等により構成している。
【００６１】
図４、図５に示す如く、極板６はプローブ５と対向して配置される電極部材であり、底面および三方の側面が形成される構成としている。そして、極板６の底面および三方の側面によって囲まれる凹部６ａに、後述する多孔体保持治具１１およびプローブ位置決め治具１３を収容する構成としている。尚、電極６は接地されている。
また極板６には、後述する底板８に接続される水配管１８および空気配管１９を通すための貫通孔６ｂを形成している。
【００６２】
次に、多孔体保持治具１１について、さらに詳細に説明をする。
図４に示す如く、多孔体保持治具１１は、上板７、底板８、スペーサー９等により構成しており、上板７および底板８でスペーサー９を挟みこんで三層構造とし、スペーサー９に形成される切欠き部９ａの内部に多孔体１０を保持する構成としている。
【００６３】
図４、図６に示す如く、上板７はアクリル製の板状部材である。上板７をアクリル製とすることにより、多孔体保持治具１１内に保持している多孔体１０を容易に目視で確認ができる等の利点があるが、本発明に係る多孔体保持治具１１を構成する上板７の材質をこれに限定するものではない。
【００６４】
図４、図７に示す如く、底板８はアクリル製の板状部材であり、後述するスペーサー９の切欠き部９ａに水や空気を供給するための供給口８ａ・８ｂが形成されている。上板７と同様に、本実施例では底板８の材質をアクリル製とした例を示しているが、本発明に係る多孔体保持治具１１を構成する底板８の材質をこれに限定するものではない。
【００６５】
図４、図８に示す如く、スペーサー９はジュラルミン製の板状部材に切欠き部９ａを形成した部材であり、該切欠き部９ａの凹形状に略一致する形状に加工した多孔体１０を、該切欠き部９ａに内挿して保持する構成としている。尚、本実施例ではスペーサー９の材質をジュラルミン製とした例を示しているが、本発明に係る多孔体保持治具１１を構成するスペーサー９の材質をこれに限定するものではない。
【００６６】
即ち、多孔体保持治具１１は、底板８と、多孔体保持部たる切欠き部９ａが形成されるスペーサ−９と、上板７により構成されており、これにより、容易な構成で、測定対象物たる多孔体の配置を精度良く再現することができるのである。
【００６７】
図４、図９に示す如く、プローブ位置決め治具１３には、支持部１３ａ、縁部１３ｂ・１３ｃ、押圧部１３ｄ等が形成されている。また、支持部１３ａから押圧部１３ｄを貫通させる複数の支持孔１３ｅ・１３ｅ・・・が形成されている。
支持孔１３ｅ・１３ｅ・・・の内径は、プローブ５の外形と略一致する口径としてクリアランス量を減らすとともに、支持部１３ａを凸状に形成して厚みを確保し支持孔１３ｅの深さを確保することにより、支持孔１３ｅにプローブ５を挿入した際に、プローブ５のぐらつきを抑制し、プローブ５を一定位置に安定して支持する構成としている。
つまり、複数ある支持孔１３ｅ・１３ｅ・・・のうちから選択した支持孔１３ｅが同一あれば、一定した位置にプローブ５の位置決めが可能となるものである。
【００６８】
また、プローブ位置決め治具１３は、縁部１３ｂ・１３ｃの外側形状が、前述した極板６に形成される凹部６ａの内側形状と略一致する構成としている。
これにより、プローブ位置決め治具１３を極板６に嵌合させることにより、プローブ位置決め治具１３の配置を一定に維持することができ、プローブ５の支持位置をより確実に一定に保持できる構成としている。
【００６９】
さらに、プローブ位置決め治具１３には、下方に向けた凸状の押圧部１３ｄが形成されている。そして、押圧部１３ｄにより、プローブ位置決め治具１３の直下に隣接して配置される上板７の特にプローブ５が接する位置の周辺部を確実に押圧し、上板７の浮き上がりを防止する構成としている。これにより、プローブ５と上板７の下方に配置される多孔体１０との距離を確実に一定に保持することができるのである。
【００７０】
図４、図１０に示す如く、押圧治具１４は、本体部１４ａおよび支持腕部１４ｂ・１４ｃにより構成している。また、本体部１４ａには、プローブ５の外径に比して大きな口径の孔１４ｄが形成され、該孔１４ｄにプローブ５を挿入可能な構成としている。
支持腕部１４ｂ・１４ｃの一端にはネジ部１４ｅ・１４ｆが形成されており、該ネジ部１４ｅ・１４ｆが本体部１４ａに形成されるネジ孔１４ｇ・１４ｈに螺合している。
そして、孔１４ｄにプローブ５を挿入しておき、支持腕部１４ｂ・１４ｃを孔１４ｄに臨ませる方向に締め上げることによりプローブ５を挟持して、プローブ５をプローブ押圧治具１４に固定する構成としている。
【００７１】
図４に示す如く、リング状のゴム部材１５を用いて、支持腕部１４ｂ・１４ｃにゴム部材１５を掛止しつつ、極板６の周囲にゴム部材１５を巻回する構成としている。
これにより、押圧治具１４は、ゴム部材１５の弾性力により図４中の下向きに付勢される。そして、押圧治具１４に挟持されているプローブ５が下方に押圧されるとともに、押圧治具１４によりプローブ位置決め治具１３も下方に押圧される構成としている。
【００７２】
このとき、プローブ５が下方に押圧されることにより、プローブ５と上板７を密着させることができ、プローブ５の浮き上がりを防止することができる。
また、プローブ位置決め治具１３が下方に押圧されることにより、上板７のプローブ５と接する部位の周辺が押圧部１３ｄにより下方に押圧され、上板７の浮き上がりを防止することができる。
【００７３】
即ち、本発明に係る含水率測定装置１は、プローブ５を所定位置に位置決めするプローブ位置決め治具１３と、プローブ５に固着する押圧治具１４と、多孔体１０を所定位置に保持する多孔体保持治具１１と、を備える構成としている。
これにより、容易な構成で、測定対象物たる多孔体１０に対するプローブ５の配置を精度良く再現することができるのである。
【００７４】
また、本発明においては、プローブ５および極板６を備え、プローブ５と極板６に介挿される測定対象物たる多孔体１０の静電容量を測定する静電容量測定装置２を備える多孔体１０の含水率測定装置１であって、多孔体１０を所定位置に保持する多孔体保持手段たる多孔体保持治具１１と、プローブ５を所定位置に保持するプローブ保持手段たるプローブ位置決め治具１３と、プローブ５およびプローブ位置決め治具１３を多孔体保持治具１１に対して押圧する押圧手段たる押圧治具１４を備える構成としている。
このような構成とすることにより、測定対象物たる多孔体１０に対するプローブ５の配置を精度良く再現することができるのである。
【００７５】
次に、含水率測定装置による一連の測定手順について説明をする。
（多孔体保持工程）
図４に示す如く、まず、スペーサー９に形成される切欠き部９ａに多孔体１０を挿入し、その後、上下から上板７および底板８によってスペーサー９を挟みこむようにして多孔体１０を保持するようにしている。
さらに多孔体１０を保持している多孔体保持治具１１全体を極板６の凹部６ａに嵌め込んで多孔体保持治具１１自体を一定位置に保持するようにしている。
【００７６】
即ち、多孔体保持治具１１は、極板６により保持される構成としており、これにより、容易な構成で、測定対象物たる多孔体１０が保持される多孔体保持治具１１の配置を精度良く再現することができるのである。
【００７７】
（位置決め工程）
図４に示す如く、プローブ位置決め治具１３を多孔体保持治具１１の上部にさらに重ねるようにして極板６の凹部６ａに嵌め込むようにしている。
多孔体保持治具１１とプローブ位置決め治具１３はともに極板６により保持されており、多孔体保持治具１１およびプローブ位置決め治具１３の相対的な位置が一定に保持される構成としている。これにより、プローブ５を配置する支持孔１３ｅ・１３ｅ・・・を選択すれば、選んだ支持孔１３ｅが同じである限り、プローブ５と多孔体保持治具１１の配置が一定に保持される構成としている。
【００７８】
（押圧工程）
図４に示す如く、支持孔１３ｅにプローブ５を挿入する際には、プローブ５に対して押圧治具１４が固着されている。
そして、リング状のゴム部材１５を用いて、支持腕部１４ｂ・１４ｃにゴム部材１５を掛止しつつ、極板６の周囲にゴム部材１５を巻回させる。
このとき、押圧治具１４は、ゴム部材１５の弾性力により図４中の下向きに付勢されて、押圧治具１４に挟持されているプローブ５が下方に押圧される構成としている。
これにより、プローブ５が下方に押圧されることにより、プローブ５と上板７を密着させることができる。
【００７９】
さらにこのとき、押圧治具１４によりプローブ位置決め治具１３も下方に押圧される構成としている。
これにより、上板７のプローブ５と接する部位の周辺が押圧部１３ｄにより下方に押圧され、上板７の浮き上がりを防止することができる
【００８０】
即ち、本発明に係る含水率測定方法においては、プローブ５および極板６を備え、プローブ５と極板６に介挿される測定対象物たる多孔体１０の静電容量を測定する静電容量測定装置２を備える含水率測定装置１を用いた多孔体１０の含水率測定方法であって、多孔体１０を所定位置に保持する多孔体保持工程と、プローブ５を所定位置に位置決めする位置決め工程と、プローブ５と多孔体１０の距離を一定に保持する押圧工程からなる構成としている。
このような構成とすることにより、測定対象物に対するプローブ５の配置を精度良く再現することができるのである。
【００８１】
（測定工程）
図４に示す如く、底板８に形成した供給口８ａ・８ｂには、極板６の貫通孔６ｂを通して水配管１８および空気配管１９が接続されている。これにより、切欠き部９ａ内部に水および空気を供給し、気液二相流の供給状態を創出する構成としている。
この状態で、静電容量Ｃの測定を行い、Ｃ−Ｖ変換器３により静電容量を電圧に変換した値をＰＣ４に取り込んで、ＰＣ４により演算処理して多孔体１０の含水率を導出する構成としている。
【図面の簡単な説明】
【００８２】
【図１】本発明の一実施例に係る含水率測定装置の全体構成を示す模式図。
【図２】静電容量測定装置による多孔体の保持状態を示す模式図。
【図３】静電容量測定装置による構成実験の状況を示す模式図。
【図４】本発明の一実施例に係る静電容量測定装置の全体構成を示す側面断面図。
【図５】本発明の一実施例に係る静電容量測定装置の極板を示す平面図および断面図。
【図６】本発明の一実施例に係る静電容量測定装置の多孔体保持治具（上板）を示す平面図および断面図。
【図７】本発明の一実施例に係る静電容量測定装置の多孔体保持治具（底板）を示す平面図および断面図。
【図８】本発明の一実施例に係る静電容量測定装置の多孔体保持治具（スペーサ−）を示す平面図および断面図。
【図９】本発明の一実施例に係る静電容量測定装置のプローブ位置決め治具を示す平面図および断面図。
【図１０】本発明の一実施例に係る静電容量測定装置の押圧治具を示す平面図および断面図。
【符号の説明】
【００８３】
１    含水率測定装置
２    静電容量測定装置
５    プローブ
６    極板
１０  多孔体
【図１】
2009288190.tif 000018
【図２】
2009288190.tif 000019
【図３】
2009288190.tif 000020
【図４】
2009288190.tif 000021
【図５】
2009288190.tif 000022
【図６】
2009288190.tif 000023
【図７】
2009288190.tif 000024
【図８】
2009288190.tif 000025
【図９】
2009288190.tif 000026
【図１０】
2009288190.tif 000027